(57)【要約】      （修正有）【課題】画像データを撮像して送信・記録する撮像装置において、必要なときのみ撮像するようにし、見守られる側の病人や老人のストレスを低減する。【解決手段】設置場所の所定範囲を画像データとして撮像し、画像データの外部への送信、及び／又は、記録を行う撮像手段と、撮像手段近傍に設けられる人の動きを検知する人感センサと、撮像手段を制御する制御装置とを有する撮像装置であって、制御装置は、人感センサが人の動きを検知していないときは、画像の撮像を行わない非撮像モードとなるように撮像装置を制御する。【選択図】図３
0003187034.tif 000002
【実用新案登録請求の範囲】
【請求項１】
設置場所の所定範囲を画像データとして撮像し、当該画像データの外部への送信、及び／又は、当該画像データの記録を行う撮像手段と、
前記撮像手段近傍に設けられる人の動きを検知する人感センサと、
前記撮像手段を制御する制御装置とを有する撮像装置であって、
前記制御装置は、前記人感センサが人の動きを検知していないときは、画像の撮像を行なわない非撮像モードとなるように前記撮像装置を制御する
撮像装置。
【請求項２】
外部からの指示を受信する受信手段を有し、
前記制御装置は、前記人感センサが人の動きを検知していないときであっても、受信手段が所定の指示を受信した場合は、画像の撮像を行うように前記撮像装置を制御する
請求項１に記載の撮像装置。
【請求項３】
外部の温度を検知する温度センサを有し、
前記制御手段は、前記人感センサが人の動きを検知していないときであっても、前記温度センサが予め設定される所定範囲外の温度を検知した場合は、画像の撮像を行うように前記撮像装置を制御する
請求項１又は２に記載の撮像装置。
【請求項４】
前記撮像手段は所定対象を撮像していないことが視認できるものであって、
前記撮像手段は、前記非撮像モードにおいて、前記所定対象を撮像していないことが視認できる状態となるものである
請求項１から３のいずれか１項に記載の撮像装置。
【考案の詳細な説明】
【技術分野】
【０００１】
本考案は、画像を撮像し、撮像した画像データの離れた場所への送信や記録を行う撮像装置に関する。
【背景技術】
【０００２】
近年、インターネットの普及により簡易にデータを送信できることから、特定の場所に設置したカメラの映像を離れた場所から見るための撮像装置が防犯のための監視、工場や店舗内のモニタリング、病人や要介護老人の見守りなど種々の場所で広く用いられている。これらの撮像装置は、２４時間撮像対象を撮像し続けるものが多い。
【考案の概要】
【考案が解決しようとする課題】
【０００３】
しかしながら、例えば病人や老人の見守りをしている場合、就寝中など動かないときにも撮像され続けることは、見守られる側にストレスを与えかねない。
本考案は、このような問題に鑑みて、対象の画像データを撮像して送信・記録する撮像装置において、必要なときのみ撮像するようにすることを課題とする。
【課題を解決するための手段】
【０００４】
上記課題を解決するために、本考案は次のような構成を有する。
請求項１に記載の考案は、設置場所の所定範囲を画像データとして撮像し、当該画像データの外部への送信、及び／又は、当該画像データの記録を行う撮像手段と、前記撮像手段近傍に設けられる人の動きを検知する人感センサと、前記撮像手段を制御する制御装置とを有する撮像装置であって、前記制御装置は、前記人感センサが人の動きを検知していないときは、画像の撮像を行わない非撮像モードとなるように前記撮像装置を制御するものである。
請求項２に記載の考案は、前記撮像装置において、外部からの指示を受信する受信手段を有し、前記制御装置は、前記人感センサが人の動きを検知していないときであっても、受信手段が所定の指示を受信した場合は、画像の撮像を行うように前記撮像装置を制御するものである。
請求項３に記載の考案は、前記撮像装置において、外部の温度を検知する温度センサを有し、前記制御手段は、前記人感センサが人の動きを検知していないときであっても、前記温度センサが予め設定される所定温度範囲外の温度を検知した場合は、画像の撮像を行うように前記撮像装置を制御するものである。
請求項４に記載の考案は、前記撮像装置において、前記撮像手段は所定対象を撮像していないことが視認できるものであって、前記撮像手段は、前記非撮像モードにおいて、前記所定対象を撮像していないことが視認できる状態となるものである。なお、撮像していないことが視認できる方法として、撮影ランプを消灯すること、非撮影ランプを点灯すること、カメラの撮影方向を天井など人が写らない方向に向けること、カメラレンズの前を板などで遮断することなどが例示される。
【考案の効果】
【０００５】
以上のような構成により、本考案に係る撮像装置は、次のような効果を奏する。
請求項１に記載の考案は、人の動きを察知したときのみ撮像を行うので、就寝中など動きがないときには、撮像が行われないことから、撮影される対象者のストレスを低減することができる。
請求項２に記載の考案は、人感センサによる人の動きの検知に加えて、外部からの指示により画像を撮像するので、撮影される対象者が動いていないときでも、不測の事態が発生していないかどうかを任意のタイミングで確認することができ、また、外部からの指示が撮影される対象者からの指示である場合は、対象者に何か起こっている可能性があるので、このような場合も画像で確認することができる。
請求項３に記載の考案は、さらに、温度が所定の温度範囲外である場合に、撮像を行うので、高温により熱中症の恐れがある場合や、火事が発生した場合、低温時に暖房機器がついていない場合などに、撮像を行い外部に送信することで、これらが原因による事故等を未然に防ぐことができる。
請求項４に記載の考案は、撮影されている対象者が撮影されていないことを視認することができるので、よりストレスの低減に資することができる。  
【図面の簡単な説明】
【０００６】
【図１】実施形態に係る撮像装置の斜視図である。
【図２】実施形態に係る撮像装置のブロック図である。
【図３】実施形態に係る撮像装置の動作を示すフローチャートである。
【考案を実施するための形態】
【０００７】
以下、本考案の実施の形態について、図面を参照しながら説明する。
図１に本実施形態に係る撮像装置Ｘの斜視図を示す。撮像装置Ｘは透明なフード１１が設けられた筐体１０内にカメラモーターにより水平軸及び垂直軸の２軸に回動可能に固定されるデジタルカメラ２０を内蔵したものである。筐体１０の前面には人感センサ３０が固定されている。ここで用いられる人感センサ３０は、赤外線を照射して照射範囲の温度を検知し、検知範囲内で周囲温度と温度差のあるものの動きに基づいて、人の動きの有無を検知するものである。なお、人感センサ３０は他の方式により人の動きを検知するものを採用してもよい。そして、筐体１０の前面には周囲の気温を検知する温度センサ６０が設けられている。さらに、筐体１０にはコールボタン７０が接続されている。コールボタン７０は、ナースコール用のボタンであり、コールボタン７０は別の部屋にも繋がっていて、押されるとこの別の部屋に設けられたチャイムが鳴るようになっている。また、筐体１０内部には後述する制御装置および通信装置が内蔵される。通信装置は筐体１０に設けられたＷｉｆｉアンテナ５１を介してインターネット及び構内のＬＡＮに接続され、データの送受信ができるようになっている。さらに、筐体１０にはメモリーカードを記録媒体とする記録メディアドライブ４０が設けられ、メモリーカードに画像データを記録できるようになっている。
【０００８】
図２に撮像装置Ｘの構成を模式的に表すブロック図を示す。制御装置８０は、演算処理を行うCPU、CPUの作業領域となるRAM、プログラムを記憶するROM、同期信号を発生するクロック等からなるいわゆるマイコンにより構成される。制御装置８０は外部インターフェースを通じて、デジタルカメラ２０、カメラモーター２５、人感センサ３０、記録メディアドライブ４０、温度センサ６０、コールボタン７０、ネットワークインターフェース５５を介してWifi通信ユニット５０に接続され、これらをプログラムによって制御している。
【０００９】
次に、以上のような構成を有する撮像装置Ｘの動作について説明する。図３に撮像装置Ｘの動作を表すフローチャートを示す。まず、撮像装置Ｘの電源を投入すると、待機状態となる。待機状態では、ここではカメラモーター２５が回転し、デジタルカメラ２０のレンズが天井を向くことで、撮像されていないことが視認できるよう制御される。待機状態では、コールボタン７０が押されていないかどうかを判断し（ｓ１０１）、コールボタンが押されている場合は、制御装置８０がデジタルカメラ２０及びカメラモーター２５を作動させ、動画を撮像し（ｓ１０２）、ＬＡＮ回線を通じてコールボタン７０に連動するチャイムが鳴る部屋に設けられたパソコンに動画をストリーミングデータとして送信する（ｓ１０３）。動画の撮像と送信は、一定時間行われ（ｓ１０４）、時間が経過すると、デジタルカメラ２０の撮像を停止し、待機状態に戻る。
ｓ１０１でコールボタン７０が押されていない場合は、制御装置８０は人感センサ３０が人の動きを検知したかどうかを判断し（ｓ１０５）、人感センサ３０が人の動きを検知した場合は、デジタルカメラ２０及びカメラモーター２５を作動させ、人感センサ３０が人の動きを検知した方向の静止画を撮像し（ｓ１０６）、撮像した静止画の画像データを添付した電子メールをインターネット回線を通じて所定のメールアドレスに送信する（ｓ１０７）。その後、待機状態に戻る。
ｓ１０５で人感センサが反応していない場合は、温度センサ５０が感知する温度が設定温度範囲外になっているかかどうかを判断する（ｓ１０８）。なお、設定温度範囲は任意に定めることができるものであり、ここでは５℃〜３５℃に設定されるものとする。ｓ１０９で所定の設定温度範囲外になっていることが検知された場合は、制御装置８０はデジタルカメラ２０及びカメラモーター２５を作動させて、正面の静止画を撮像し（ｓ１０９）、撮像した静止画の画像データを添付した電子メールをインターネット回線を通じて所定のメールアドレスに送信する（ｓ１１０）。その後、再び待機状態に戻り、ｓ１０１以下の動作を繰り返す。
このように本実施形態に係る撮像装置Ｘは、コールボタン７０が押された場合、人感センサ３０が人の動きを検知した場合、温度が設定温度以上になった場合のみ、画像を撮像し、それ以外は、画像を撮像せず、撮像される対象者もこれを視認できるので、撮像される対象者のストレスを低減することができる。
【００１０】
なお、上記実施形態では外部からの指示としてコールボタン７０を例示したが、例えばインターネット回線を通じて撮像指示が送られた場合に撮像を行う等、任意の外部からの指示を適用することができる。また、上記実施形態では人感センサ３０が反応したときや、温度センサ６０が所定範囲外の温度を検知したときには、静止画の画像データを送信するようにしているが、一定時間撮像した動画の画像データを送信するようにしてもよい。また、上記実施形態では、撮像していないことを視認できるように、カメラの向きを天井に向けるようにしているが、この他に、カメラの動作ランプを設けて、撮像していないときはこれを非点灯状態としたり、カメラの非動作ランプを設けて、撮像していないときはこれを点灯状態としたりすることができる。さらに、カメラのレンズの前に開閉できるシャッターを設けて、撮像していないときにはこれを閉じるようにしてもよい。それから、上記実施形態ではＷｉｆｉを用いて無線でインターネットや構内ＬＡＮと接続しているがＬＡＮケーブルを介して有線で接続するようにしてもよい。
【符号の説明】
【００１１】
Ｘ  撮像装置
１０  筐体
２０  デジタルカメラ
３０  人感センサ
４０  記録メディアドライブ
５０  Wifi通信ユニット
５５  ネットワークインターフェース
６０  温度センサ
７０  コールボタン
８０  制御装置
【図１】
0003187034.tif 000003
【図２】
0003187034.tif 000004
【図３】
0003187034.tif 000005